(57)【特許請求の範囲】
【請求項１】
所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせて配筋し、前記背の高いトラス筋間に、長辺方向の長さが、背の高いトラス筋の配筋間隔以下の軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くしたことを特徴とするプレキャストコンクリート板。
【請求項２】
所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせて配筋し、前記背の高いトラス筋間に、長辺方向の長さが、背の高いトラス筋の配筋間隔以下の軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くした複合プレキャストコンクリート板と、
トラス筋をその上部がコンクリート板の一面から突出するように適宜間隔ごとに配筋し、これらのトラス筋間に軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くした中空プレキャストコンクリート板とを梁間に隣接状態で複数配設し、
前記複合プレキャストコンクリート板に隣接した中空プレキャストコンクリート板の隣接部には、軽量型枠よりも幅狭な小型軽量型枠が適宜間隔で配設されるとともに、隣接部における背の高いトラス筋に沿ってこれよりも半分の長さの補強用トラス筋が配筋され、前記軽量型枠を配設した部分と配設しない部分との間に段差部を形成してトップコンクリートが打設されたことを特徴とするコンクリートスラブ。
【請求項３】
隣接する中空プレキャストコンクリート板同士の軽量型枠がそれぞれ異なる大きさであることを特徴とする請求項２に記載のコンクリートスラブ。
【請求項４】
中空プレキャストコンクリート板の軽量型枠と、複合プレキャストコンクリート板の軽量型枠とが、それぞれ異なる大きさであることを特徴とする請求項２に記載のコンクリートスラブ。
【請求項５】
中空プレキャストコンクリート板のうちの少なくとも一つのプレキャストコンクリート板にそれぞれ異なる大きさの軽量型枠を配設したことを特徴とする請求項２に記載のコンクリートスラブ。
【請求項６】
請求項２のコンクリートスラブを備えたことを特徴とする構築物。
【発明の詳細な説明】
【０００１】
【発明の属する技術分野】
本発明はプレキャストコンクリート板、コンクリートスラブおよび構築物に関するものである。
【０００２】
【従来の技術】
鉄筋コンクリートにおける建物のスラブは、ほとんどがプレキャストコンクリート板を使用して構築している。このコンクリートスラブに各種配管のための段差部を構築するには、図１４の（１）および（２）に示すように、一方のプレキャストコンクリート板３０を下側にずらして段差部３１を形成し、この段差部３１を補強するためにあばら筋３２を配筋したり、あるいはコンクリートスラブのスラブ筋３３をベンド筋にしたりしていた。
【０００３】
また前記のコンクリートスラブには、同図の（３）に示すように、トラス筋３４間に軽量型枠３５を均等間隔で配設したプレキャストコンクリート板３６が使用され、軽量型枠間３７には隣接したプレキャストコンクリート板からの連結筋（図示せず）が配筋されるようになっている。
【０００４】
【発明が解決しようとする課題】
しかし、上記のような段差部における配筋は複雑であるため、現場における鉄筋加工や施工に大変な手間がかかって、作業効率が悪かった。
また、軽量型枠が配設されたプレキャストコンクリート板は隣接状態で配設すると、トラス筋が近接して配筋されるため、コンクリートスラブ全体としてアンバランスな配筋となっていた。
【０００５】
【課題を解決するための手段】
以上の課題を解決するための手段は、プレキャストコンクリート板が、所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせて配筋し、前記背の高いトラス筋間に、長辺方向の長さが、背の高いトラス筋の配筋間隔以下の軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くしたことを特徴とする。
またコンクリートスラブが、所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせて配筋し、前記背の高いトラス筋間に、長辺方向の長さが、背の高いトラス筋の配筋間隔以下の軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くした複合プレキャストコンクリート板と、トラス筋をその上部がコンクリート板の一面から突出するように適宜間隔ごとに配筋し、これらのトラス筋間に軽量型枠を適宜間隔ごとに配設し、これらの軽量型枠のトラス筋に沿った縦方向の配設間隔のうちの少なくとも一列を、他の軽量型枠のトラス筋に沿った縦方向の配設間隔よりも広くした中空プレキャストコンクリート板とを梁間に隣接状態で複数配設し、前記複合プレキャストコンクリート板に隣接した中空プレキャストコンクリート板の隣接部には、軽量型枠よりも幅狭な小型軽量型枠が適宜間隔で配設されるとともに、隣接部における背の高いトラス筋に沿ってこれよりも半分の長さの補強用トラス筋が配筋され、前記軽量型枠を配設した部分と配設しない部分との間に段差部を形成してトップコンクリートが打設されたことを特徴とする。また隣接する中空プレキャストコンクリート板同士の軽量型枠がそれぞれ異なる大きさであることを含む。また中空プレキャストコンクリート板の軽量型枠と、複合プレキャストコンクリート板の軽量型枠とが、それぞれ異なる大きさであることを含む。また中空プレキャストコンクリート板のうちの少なくとも一つのプレキャストコンクリート板にそれぞれ異なる大きさの軽量型枠を配設したことを含むものである。
さらに構築物が、前記のコンクリートスラブを備えたことを特徴とする。
【０００６】
【課題を解決するための手段】
以上の課題を解決するための手段は、プレキャストコンクリート板が、所定の大きさのコンクリート板を所定のエリアに分割し、その一方のエリアに背の高いトラス筋をその上部がコンクリート板の一面から突出するように適宜間隔をもって配筋し、他方のエリアには背の低いトラス筋をその上部がコンクリート板の一面から突出するように適宜間隔ごとに配筋し、前記背の高いトラス筋と背の低いトラス筋の端部をコンクリート板の所定箇所で長さ方向に重ね配筋し、前記背の高いトラス筋間に軽量型枠を適宜間隔ごとに配設し、これらの軽量型枠の配設間隔のうちの少なくとも一列を他の配設間隔よりも広くしたことを特徴とする。
またコンクリートスラブが、所定の大きさのコンクリート板を所定のエリアに分割し、その一方のエリアに背の高いトラス筋を、他方のエリアには背の低いトラス筋をそれぞれその上部がコンクリート板の一面から突出するように適宜間隔ごとに配筋し、前記背の高いトラス筋と背の低いトラス筋の端部をコンクリート板の所定箇所で長さ方向に重ね配筋し、前記背の高いトラス筋間に軽量型枠を適宜間隔をもって配設し、これらの軽量型枠の配設間隔のうちの少なくとも一列を他の配設間隔よりも広くした複合プレキャストコンクリート板と、トラス筋をその上部がコンクリート板の一面から突出するように適宜間隔ごとに配筋し、これらのトラス筋間に軽量型枠を適宜間隔ごとに配設し、これらの軽量型枠の配設間隔のうちの少なくとも一列を他の配設間隔よりも広くした中空プレキャストコンクリート板とを梁間に隣接状態で複数配設し、前記軽量型枠を配設した部分と配設しない部分との間に段差部を形成してトップコンクリートを打設したことを特徴とする。
さらに構築物が、前記のコンクリートスラブを備えたことを特徴とする。
【０００７】
プレキャストコンクリート板においては、背の高いトラス筋と背の低いトラス筋との高低差により、これらのエリア間に段差部が形成される。また背の高いトラス筋と背の低いトラス筋の端部が長さ方向に重ね配筋されたことにより、段差部における強度が大きくなる。また背の高いトラス筋間に配設した軽量型枠の長辺方向の長さを、背の高いトラス筋の配筋間隔以下としたので、前記トラス筋と直交する鉄筋を配筋する間隙部が多く形成される。
【０００８】
コンクリートスラブにおいては、軽量型枠の配設間隔のうちの少なくとも一列を、他の配設間隔よりも広くしたプレキャストコンクリート板でコンクリートスラブを構築すると、前記広い間隔部に前記のトラス筋に対応した連結筋の配筋をすることにより、コンクリートスラブの長尺梁方向と短尺梁方向の２方向の強度のバランスがとれるとともに、段差部の強度も大きくなる。
【０００９】
また、長尺梁方向および短尺梁方向の２方向の強度のバランスがとれ、かつ段差部の強度も大きなコンクリートスラブを有した構築物となる。
【００１０】
【発明の実施の形態】
以下、本発明のプレキャストコンクリート板、コンクリートスラブおよび構築物の実施の形態を図面に基づいて説明する。図１はプレキャストコンクリート板の平面図、図２の（１）は図１のＡ−Ａ線断面図、同図の（２）は同Ｂ−Ｂ線断面図である。
【００１１】
図１はプレキャストコンクリート板（以下、薄肉ＰＣ板という）１を示し、平面矩形のコンクリート板２と、トラス筋３、４とから構成されている。
【００１２】
薄肉ＰＣ板１は所定の大きさおよび所定の厚さを備えたものであり、これを二つのエリア５、６、すなわち二つの領域に分割し、そのうちの一方のエリア５には３本の背の高いトラス筋３がコンクリート板２の長辺方向に沿って適宜間隔ごとに配筋されている。
【００１３】
このトラス筋３は、三角形状に配置された一本の上弦筋（トップ筋）７と二本の下弦筋（下端筋）８とが波形のラチス筋９で接合された三角トラスであり、前記下弦筋８がコンクリート板２内の曲げ補強筋１０に接合されているとともに、上弦筋７側がコンクリート板２の一面から突出している。
【００１４】
これら背の高いトラス筋３間には、軽量型枠１１が適宜間隔ごとに配設されている。この軽量型枠１１の高さは背の高いトラス筋３よりもやや低く、長辺方向の長さが背の高いトラス筋３の配筋間隔、すなわち図２の（２）におけるａの間隔以下である（以下、小割の軽量型枠という）。
【００１５】
この小割の軽量型枠１１の配設間隔のうちのトラス筋３に沿った縦方向の一列、すなわちコンクリート板２の長辺方向の中央部における配設間隔が、他の縦方向の配設間隔よりも広くなっており、一対の連結筋が配筋できる程度の間隔となっている。
【００１６】
小割の軽量型枠１１は、打設されるコンクリートによって圧壊しないものが用いられ、例えば、発泡ポリスチレンのようなビーズ型内発泡成形による合成樹脂発泡成形品が使用される。しかし、この他にもエチレン系樹脂、プロピレン系樹脂等からなる発泡成形品を使用することも可能である。なお、小割の軽量型枠１１の材質としては、コンクリートに対する軽量部材であれば特に限定するものではなく、中空鋼管にすることもできる。
【００１７】
一方、他方のエリア６には、３本の背の低いトラス筋４がコンクリート板２の長辺方向に沿って適宜間隔ごとに配筋され、その先端部が背の高いトラス筋３に重ね配筋されている。この重ね配筋は少なくともラチス筋９の２山以上を重ね合わせている。この重ね合わせはトラス筋３、４同士を横に添わせる以外に、図１の（２）に示すように、上下に重ね合わせることもできる。このことにより重ね合わせ部における強度をさらに強めることができるとともに、トラス筋３、４同士を互いにずらして配筋する手間も省ける。
【００１８】
また背の低いトラス筋４は、背の高いトラス筋３と同一の構成であるが、高さが背の高いトラス筋３の半分程度であり、その下端筋８がコンクリート板２内のスラブ下端筋１０に接合されているとともに、上端筋７側がコンクリート板２の一面から突出している。また背の低いトラス筋４間には軽量型枠１１が配設されていない。
【００１９】
これら背の高いトラス筋３と背の低いトラス筋４の高さは、段差の大きさに応じて決定され、例えば、段差が大きい場合には、背の高いトラス筋３がさらに高くなる一方、背の低いトラス筋４がさらに低くなる。
【００２０】
また、背の高いトラス筋３と背の低いトラス筋４の長さも、段差部の大きさに応じて決定され、例えば、面積の大きな段差部を構築する場合は背の低いトラス筋４の長さがさらに長くなる一方、背の高いトラス筋３の長さがさらに短くなる。したがって、これらのトラス筋３、４の重ね配筋の長さにより段差部における強度が自在に調節される。
【００２１】
なお、上記のように、小割の軽量型枠１１の配設間隔のうちのトラス筋３に沿った縦方向の一列、すなわちコンクリート板２の長辺方向の中央部におけるトラス筋に沿った縦方向の配設間隔が、他の軽量型枠のトラス筋に沿った縦方向の配設間隔よりも広くなった薄肉ＰＣ板は、最も好ましい実施の形態であるが、本発明はこのようなものに限定されず、トラス筋３と直交した横方向、すなわちコンクリート板２の短辺方向に沿った横方向の配設間隔のうちの一列を、他の横方向の配設間隔より広くすることもできる。
【００２２】
次に、複合プレキャストコンクリート板と、中空プレキャストコンクリート板とを使用したコンクリートスラブを、図３〜図５に基づいて説明する。前記複合プレキャストコンクリート板１とは、図１に示すような背の高いトラス筋３と背の低いトラス筋４との間に、それぞれ軽量型枠１１を適宜間隔ごとに配設した薄肉ＰＣ板をいう（以下、複合薄肉ＰＣ板という）。一方、中空プレキャストコンクリート板１４とは、図４に示すような背の高いトラス筋１７間に軽量型枠１９が適宜間隔ごとに配設された薄肉ＰＣ板（以下、中空薄肉ＰＣ板という）をいう。
【００２３】
コンクリートスラブ１２は、長尺梁１３ａと短尺梁１３ｂとの間に２枚並んで配設された複合薄肉ＰＣ板１と、これらの両側に配設された中空薄肉ＰＣ板１４とから構成されている。
【００２４】
中空薄肉ＰＣ板１４には、図４に示すように、５本の背の高いトラス筋１７がコンクリート板１８の長辺方向に沿って適宜間隔ごとに配筋されている。これらのトラス筋１７は下部がコンクリート板１８に埋設されるとともに、上部側がコンクリート板１８の一面から突出している。また、これらのトラス筋１７の間には小割の軽量型枠１９が適宜間隔ごとに配設され、これらの配設間隔のうちトラス筋１７に沿った縦方向の一列、すなわちコンクリート板１８の長辺方向の中央部における配設間隔が、他の縦方向の配設間隔よりも広くなっている。
【００２５】
一方、この中空薄肉ＰＣ板１４と隣接した複合薄肉ＰＣ板１における背の高いトラス筋３間には、小割の軽量型枠１１が前記中空薄肉ＰＣ板１４の軽量型枠１１と同じ間隔で配設されている。すなわち複合薄肉ＰＣ板１の長辺方向の中央部における軽量型枠１９の配設間隔が、他の縦方向の配設間隔よりも広くなっている。このことによりコンクリートスラブ１２のＰＣ板１、１４上に長尺梁１３ａ方向に沿って広い間隙部２１が形成され、この広い間隔部２１に近接したトラス筋３、１７、１７と対応した連結筋２０が配筋されているとともに、他の軽量型枠１１、１９間にわたって異形鉄筋やトラス筋等の連結筋２０が配筋されている。
【００２６】
この連結筋２０の配筋間隔は近接したトラス筋３、１７、１７の配筋間隔と同じであるが、それよりも広く、あるいは狭くすることもできる。
【００２７】
また、中空薄肉ＰＣ板１４の複合薄肉ＰＣ板１との接合部には、小割の軽量型枠１９よりも幅狭な小型軽量型枠２２が配設されているとともに、接合部における背の高いトラス筋１７に沿ってこれの半分の長さの補強用トラス筋１７ａが配筋されている。
【００２８】
また、小割の軽量型枠１９および小型軽量型枠２２が配設されたエリア５、２３と、これらが配設されていないエリア６との間には、図５に示すように、背の高いトラス筋１７と背の低いトラス筋４との高低差があり、これをもってトップコンクリート１６が打設されて段差部２５を形成せしめている。
【００２９】
上記のように、複合薄肉ＰＣ板１と中空薄肉ＰＣ板１４との軽量型枠１１間には背の高いトラス筋３、１７に対応した連結筋２０が配筋されるととともに、広い間隙部２１には近接したトラス筋３、１７に対応した一対の連結筋２０が配筋されることにより、長尺梁１３ａ方向と短尺梁１３ｂ方向の２方向にバランスがとれた配筋となって、コンクリートスラブ１２に作用する荷重を長尺梁１３ａ方向および短尺梁１３ｂ方向に沿って流して、コンクリートスラブ全体としてバランスのとれた強度を十分に確保している。
【００３０】
図６〜図１１は、軽量型枠の大きさが異なる薄肉ＰＣ板を配設したコンクリートスラブを示したものである。
【００３１】
図６は、大型の軽量型枠２６を配設した中空薄肉ＰＣ板１４が、短尺梁１３ｂ側に敷設されたコンクリートスラブ１２であり、他の中空薄肉ＰＣ板１４との接合部にのみ小割の軽量型枠１９が配設されている。そして、軽量型枠１９間に背の高いトラス筋１７に対応した連結筋２０が配筋され、接合部における強度を確保している。また広い間隙部２１には、近接したトラス筋３、１７に対応した一対の連結筋２０が配筋されて、コンクリートスラブ全体として長尺梁１３ａ方向および短尺梁１３ｂ方向の２方向にバランスのとれた配筋となって、コンクリートスラブ１２に作用する荷重を長尺梁１３ａ方向および短尺梁１３ｂ方向に沿って流している。
【００３２】
また図７は、小割の軽量型枠１９を配設した中空薄肉ＰＣ板１４が、短尺梁１３ｂ側に敷設されたコンクリートスラブ１２であり、他の中空薄肉ＰＣ板１４との接合部に小割の軽量型枠１９が配設されている。また複合薄肉ＰＣ板１の広い間隙部２１を境にした一方には小割の軽量型枠１１が、他方には大型の軽量型枠２６がそれぞれ配設されている。
【００３３】
また図８は、中空薄肉ＰＣ板１４の接合部側に小割の軽量型枠１９を、それ以外の箇所に大型の軽量型枠２６がそれぞれ配設されるとともに、複合薄肉ＰＣ板１に小割の軽量型枠１１が配設されたコンクリートスラブ１２である。
【００３４】
また図９は、大型の軽量型枠２６を配設した中空薄肉ＰＣ板１４が短尺梁１３ｂ側に敷設され、それ以外の薄肉ＰＣ板１、１４には大型の軽量型枠２６が配設されたコンクリートスラブ１２である。
【００３５】
また図１０は、小割の軽量型枠１９を配設した中空薄肉ＰＣ板１４が短尺梁１３ｂ側に敷設され、それ以外の薄肉ＰＣ板１、１４にはほとんど大型の軽量型枠２６が配設されたコンクリートスラブ１２である。
【００３６】
また図１１は、複合薄肉ＰＣ板１の一部に小割の軽量型枠１１が配設された以外は、大型の軽量型枠２６が配設された中空薄肉ＰＣ板１４からなるコンクリートスラブ１２である。
【００３７】
また図１２および図１３は、補強用トラス筋１７ａが配筋されていない中空薄肉ＰＣ板１４を使用したコンクリートスラブ１２であり、図１２は全て小割の軽量型枠１９が配設された薄肉ＰＣ板１、１４が使用されたものである。一方、図１３は一部に小割の軽量型枠１１が配設された以外は、大型の軽量型枠２６が配設された中空薄肉ＰＣ板１４が使用されている。
【００３８】
以上の図７〜図１３のコンクリートスラブ１２においては、図６と同じように、軽量型枠１１、１９間にわたって背の高いトラス筋１７に対応した連結筋２０が配筋されて、接合部における強度を確保し、また広い間隙部２１には近接したトラス筋３、１７に対応した一対の連結筋２０が配筋されて、コンクリートスラブ全体として長尺梁１３ａ方向および短尺梁１３ｂ方向の２方向にバランスのとれた配筋となって、コンクリートスラブ１２に作用する荷重を長尺梁１３ａ方向および短尺梁１３ｂ方向に沿って流して、コンクリートスラブ全体としてバランスのとれた強度を確保している。
【００３９】
また図７、図１０、図１２のコンクリートスラブ１２は、小割の軽量型枠１１を敷設した中空薄肉ＰＣ板１４を短尺梁１３ｂ側に敷設しているため、大きなせん断力が作用する周辺部において荷重を長尺梁１３ａ方向および短尺梁１３ｂ方向に沿って流すことができる。すなわち、上記のように軽量型枠１１を小割にして連結筋２０を配筋したことにより、中空薄肉ＰＣ板１４の端部に作用する大きなせん断力に対応することができる。また軽量型枠１１を小割にしない中空薄肉ＰＣ板１４はせん断力が少ないので隔壁などを間引くことができる。
【００４０】
なお、上記のように、長尺梁１３ａ方向に沿って広い間隙部２１が形成されたたコンクリートスラブ１２は、最も好ましい実施の形態であるが、本発明はこのようなものに限定されず、短尺梁１３ｂ方向に沿った配設間隔の一つを広い間隙部２１とすることもできる。
【００４１】
また図３、図６〜図１３のコンクリートスラブ１２を使用して鉄骨造、鉄筋コンクリート造および鉄骨鉄筋コンクリート造の構築物を構築すると、段差部２５が補強され、かつバランスのよい配筋のコンクリートスラブ１２を有した構築物となる。
【００４２】
【発明の効果】
背の高いトラス筋と背の低いトラス筋の高低差により、これらのエリア間に段差部が形成される薄肉ＰＣ板を製造できる。
【００４３】
薄肉ＰＣ板において、背の高いトラス筋と背の低いトラス筋の重ね配筋した箇所の強度を大きくできる。
【００４４】
背の高いトラス筋間に配設した軽量型枠の長辺方向の長さを、背の高いトラス筋の配筋間隔以下としたことにより、薄肉ＰＣ板に前記トラス筋と対応した鉄筋を配筋する間隙部が多く形成できる。
【００４５】
背の高いトラス筋と、背の低いトラス筋をコンクリート板の所定箇所で長さ方向に重ね配筋した複合プレキャストコンクリートを使用することにより、トップコンクリートを打設するだけで段差部のあるコンクリートスラブが簡単に形成できる。
【００４６】
現場における鉄筋加工や複雑な配筋作業を省いて、簡単な現場施工により段差部のあるコンクリートスラブが構築できる。
【００４７】
軽量型枠の配設間隔のうちの少なくとも一列を、他の配設間隔よりも広くした薄肉ＰＣ板を使用してコンクリートスラブを構築したことにより、薄肉ＰＣ板の接合部に近接したトラス筋に対応した連結筋が配筋できるので、コンクリートスラブ全体として長尺梁方向および短尺梁方向の２方向にバランスのとれた配筋となって、コンクリートスラブに作用する荷重を長尺梁方向および短尺梁方向に沿って流して、コンクリートスラブ全体としてバランスのとれた強度を確保することができる。
【００４８】
隣接した中空薄肉ＰＣ板同士の軽量型枠を、それぞれ異なる大きさにしたことにより、これらの接合部において連結筋の配筋に応じた軽量型枠の配設ができる。
【００４９】
中空薄肉ＰＣ板の軽量型枠と、複合薄肉ＰＣ板の軽量型枠とを、それぞれ異なる大きさにしたことにより、これらの接合部において連結筋の配筋に応じた軽量型枠の配設ができる。また小割の軽量型枠を敷設した中空薄肉ＰＣ板を短尺梁側に敷設することにより、大きなせん断力が作用するコンクリートスラブの周辺部において荷重を長尺梁方向および短尺梁方向に沿って流すことにより、コンクリートスラブの周辺部に作用する大きなせん断力に対応することができる。
【００５０】
薄肉ＰＣ板にそれぞれ異なる大きさの軽量型枠を配設することにより、連結筋の配筋に応じた軽量型枠の配設ができる。
【００５１】
段差部が補強され、かつ長尺梁方向および短尺梁方向の２方向にバランスのとれた配筋のコンクリートスラブを有する構築物が構築できる。
【図面の簡単な説明】
【図１】（１）は薄肉ＰＣ板の平面図、（２）は重ね配筋の断面図である。
【図２】（１）は図１のＡ−Ａ線断面図、（２）は同Ｂ−Ｂ線断面図である。
【図３】コンクリートスラブの一部切欠平面図である。
【図４】中空薄肉ＰＣ板の平面図である。
【図５】（１）は図３のＣ−Ｃ線断面図、（２）は同Ｄ−Ｄ線断面図、（３）はコンクリートスラブの段差部の断面図である。
【図６】コンクリートスラブの一部切欠平面図である。
【図７】コンクリートスラブの一部切欠平面図である。
【図８】コンクリートスラブの一部切欠平面図である。
【図９】コンクリートスラブの一部切欠平面図である。
【図１０】コンクリートスラブの一部切欠平面図である。
【図１１】コンクリートスラブの一部切欠平面図である。
【図１２】コンクリートスラブの一部切欠平面図である。
【図１３】コンクリートスラブの一部切欠平面図である。
【図１４】（１）は従来のコンクリートスラブの段差部の断面図、（２）は従来の薄肉ＰＣ板の平面図である。
【符号の説明】
１  薄肉ＰＣ板
２、１８  コンクリート板
３、１７  背の高いトラス筋
４  背の低いトラス筋
５、２３  一方のエリア
６、２４  他方のエリア
１１、１９  小割の軽量型枠
１２  コンクリートスラブ
１４  中空薄肉ＰＣ板
１６  トップコンクリート
２０  連結筋
２２  小型軽量型枠
２５  段差部
【図１】
0003751727.tif 000002
【図２】
0003751727.tif 000003
【図３】
0003751727.tif 000004
【図４】
0003751727.tif 000005
【図５】
0003751727.tif 000006
【図６】
0003751727.tif 000007
【図７】
0003751727.tif 000008
【図８】
0003751727.tif 000009
【図９】
0003751727.tif 000010
【図１０】
0003751727.tif 000011
【図１１】
0003751727.tif 000012
【図１２】
0003751727.tif 000013
【図１３】
0003751727.tif 000014
【図１４】
0003751727.tif 000015